【事件の表示】
　平成　６年特許願第３０５２１２号「メモリカ−ドとその記録、再生および消去方法」拒絶査定不服審判事件〔平成　８年　５月３１日出願公開、特開平　８−１３８０１９〕について、次のとおり審決する。
【結　論】
　本件審判の請求は、成り立たない。
【理　由】
１．手続きの経緯・本願発明
　本願は、平成６年１２月８日（パリ条約による優先権主張１９９４年１０月２７日　大韓民国）の出願であって、その請求項１に係る発明は、補正された明細書及び図面の記載からみて、特許請求の範囲の請求項１に記載された次のとおりのものである。（以下、「本願発明」という。）　
「複数の貯蔵領域に分割されたデータ領域と、
　前記デ−タ領域に１回の連続的な情報の記録時に必要な複数の前記貯蔵領域から構成される複数の貯蔵単位に対応する各属性情報で作成された貯蔵単位属性テーブルが記録される第１インデックス領域と、
　前記データ領域の複数の貯蔵領域の順序に対応して各貯蔵領域の使用情報で作成された貯蔵領域テーブルが記録される第２インデックス領域と、
　記録されたデータと該データに関連した応用機器の情報と現在記録された前記貯蔵単位の数情報などのカード管理情報が記録されるカード管理情報領域を有するメモリカードにおいて、
　前記第１インデックス領域は、
　前記複数の貯蔵単位の各属性情報が記録された各領域の開始アドレスを指定するための複数のポインター値を貯蔵するポインター領域と、
　前記対応するポインター値を開始アドレスとして有する前記各領域の各貯蔵単位の属性情報と、１つの貯蔵単位を構成する複数の貯蔵領域のうちに開始貯蔵領域の順番情報が記録される属性情報領域とを具備し、
　前記カード管理情報領域には、前記データ領域の貯蔵領域のうちで不良の貯蔵領域の数を示す不良貯蔵領域の数、前記貯蔵領域テーブルを利用して破壊された場合に行われる貯蔵領域テーブルの複写数、登録された前記貯蔵領域の総数を示す貯蔵領域テーブルの目録数、不良ブロック代置領域のブロック数である不良ブロック代置領域の大きさ、前記カード管理情報領域のブロック数、不良ブロック代置領域のブロック数である不良ブロック管理テーブルの目録数が記憶されることを特徴とするメモリカード。」
　
２．引用刊行物
　これに対して、当審が平成１６年１２月８日付で通知した拒絶の理由に引用した、本願優先権主張日前に頒布された刊行物である特開平５−２３３７７１号公報（以下、「刊行物１」という。）には、次の事項が記載されている。
 Ａ．「【０００１】
　【産業上の利用分野】本発明は、画像情報再生装置、詳しくは、適用される情報記録媒体が他の情報機器と共用可能である画像情報再生装置に関するものである。
【０００２】
【従来の技術】近年、情報記録媒体であるＩＣメモリカード（以下、メモリカードと称する）を用いる画像情報再生機能付きのカメラであるＳＭＣ（SOLIDSTATE MEMORY CAMERA) 、あるいは、メモリカード用の画像情報再生装置の各種のものが商品化されつつあり、いろいろな用途にも使用されるようになってきた。このメモリカードは、同一仕様のものが各種のコンピュータ内蔵の機器、例えば、パーソナルコンピュータ（以下、パソコンと称する），ワードプロセッサ，電子手帳等においても利用されている。そこで、当然ながらそれらのメモリカードをＳＭＣとパソコン等の双方で利用することが考えられる。例えば、あるメモリカードを用いて上記ＳＭＣで画像記録を行い、そのメモリカードの画像情報をパソコン上で分類，整理、あるいは、画像合成等の処理を行い、再度、ＳＭＣ上で画像再生をするといった使い方がある。または、一枚のメモリカードがＳＭＣとパソコンの両方で使用することもできる。
【０００３】上述のようにメモリカードがＳＭＣとパソコン等の双方で利用されることになると、当然、ＳＭＣに使用されるメモリカードのフォーマットをパソコンのＤＯＳ（DISK OPERATING SYSTEM ）に合致させる必要がある。現在、上記メモリカードの標準化規格としてＪＥＩＤＡのｖｅｒ．４．１があり、ＳＭＣにもその標準化メモリカードが使用される。」（【０００１】〜【０００３】段落から抽出）
Ｂ．「図１３は、パソコン用と共用可能な上記標準化のカードに準拠したＳＭＣ用メモリカードの論理フォーマットを示す。これはパソコン用ＤＯＳのフォーマットと同一のものである。図１３に示すように、メモリの先頭部にはブートセクタ領域５１が位置しており、そこには管理領域の大きさやファイル管理のためのパラメータが格納されている。続いて、ＦＡＴ（FILE ALLOCATION TABLE ）領域５２，ルートディレクトリ領域５３が配置され、その後に画像データが記録されるデータ領域５４が配置される。上記ＦＡＴ領域５２には、各ファイルのデータが記録されている場所の連なり状態の情報であるＦＡＴエントリが書き込まれる。なお、データが記録されているメモリ上の位置は、データ書き込み単位の番号となるクラスタ番号で示される。ルートディレクトリ領域５３には、階層構造によって分類して登録されるファイルのうち、最上位階層のディレクトリの登録情報であるディレクトリエントリが書き込まれる。そして、データ領域５４には、撮像された画像情報がファイルの形式で書き込まれる外に、ディレクトリにサブディレクトリが作成された場合には、そのサブディレクトリのディレクトリエントリも書き込まれる。また、このデータ領域５４は、パソコン上では、ファイルデータ領域が対応することになる。」（【０００３】段落から抽出）
Ｃ．「【０００４】図１４は、上記ＦＡＴエントリの具体例を示すものであって、これはデータ領域に図１５に示すような状態で画像データが記録されている場合のＦＡＴエントリである。なお、ＦＡＴの番号は、データ領域上のクラスタの番号に対応している。いま、図１５に示すように１コマ目の画像データがクラスタ番号２，３，４に、また、２コマ目の画像データがクラスタ番号５，６，７の場所に記録されているとする。このような場合、ＦＡＴエントリは、図１４に示すように１コマ目のクラスタ番号２が対応するＦＡＴ番号２のＦＡＴ値として、後続する１コマ目のクラスタ番号の３の値が記入される。ＦＡＴ番号３のＦＡＴ値としては、更に、後続する１コマ目のクラスタ番号の４の値が記入される。そして、１コマ目の最終のクラスタ番号に対応するＦＡＴ番号４のＦＡＴ値としては、ＦＦＦH （Hは１６進数を示す）が書き込まれる。以下、２コマ目に対しても同様な方法でＦＡＴ値が書き込まれる。なお、未使用のデータ領域に対しては、ＦＡＴには、値０となっている。」（【０００４】段落から抽出）
Ｄ．「【０００５】上記ディレクトリエントリは、図１６に示すように、３２バイトで構成され、ファイル名，属性，作成時間，作成年月日，対応するファイルまたはサブディレクトリエントリの記録位置の先頭のクラスタ番号（この番号は、前記ＦＡＴの番号と同一値を採る）と該ファイルの大きさ等がそれぞれ記録されている。なお、上記ファイル名としては、対応するものがデータファイルであるときは、ファイルの属性情報の１つである拡張子を含むファイル名、また、対応するものがサブディレクトリであるときは、ディレクトリ名が記録される。画像データが未記録である場合のファイル名としては、値０、あるいは、値０Ｅ５H が書き込まれている。また、上記ファイルの属性情報の１つである属性としては、図１７に示すように１バイトのデータで示され、０〜５ビットに対しては、当該するファイルが、読み出し専用ファイル，不可視ファイル，システムファイル，ボリュームラベル情報，サブディレクトリ，通常の画像データその他のファイルが該当するアーカイブファイルの何れのファイルであるかを識別するためのデータが与えられる。ビット６，７は、システム予約とする。上記各ファイルの属性情報は、対応する０〜７ビットの値が０、または、１であるかによって表され、例えば、０ビットの値が１であれば、読み出し専用ファイルであって、書き込みが不可であるファイルを示すものとする。他のビットについても同様とする。なお、サブディレクトリに対するディレクトリエントリ情報は、ディレクトリ作成時にデータ領域内に設けられたエリアに書き込まれるものとする。上記画像データのデータ領域に記録されるメモリ構造は、図１８に示すようには、その先頭部にヘッダーが記録される。このヘッダーには、図１９に示すファイル情報が書き込まれる。即ち、「ＳＭＣver.1.0」 などのファイル属性情報であるファイル識別子６３，記録日時６４，データ圧縮処理に用いた画像データ圧縮パラメータ６５，シャッタ速度等の撮影条件６６，文字列のオプション６７などが書き込まれる。」（【０００５】段落から抽出）
Ｅ．「なお、上記ディレクトリエントリにファイル名として書き込まれる番号は、図２０に示すように撮影コマ番号に対応させるものとする。」（【０００５】段落から抽出）
Ｆ．「本実施例のＳＭＣは、その画像情報の記録媒体としてＩＣメモリカ−ド１５を用いるものとする。該メモリカード１５は、本実施例のものでは、所定のパソコン等のＤＯＳに基づいてフォーマットされるものとする。そして、各画面毎の撮影画像データは、画面単位の情報ファイルとしてメモリカ−ド１５に格納されるものとする。更に、該メモリカード１５は、必ずしもＳＭＣ専用のものである必要はなく、パソコン等と共用して利用可能とする。」（【００１０】段落から抽出）
Ｇ．「【００１９】図７は、…（中略）…まず、現在のコマ番号値が最大であるかどうかをチェックして（ステップＳ３１）、」（【００１９】段落から抽出）
Ｈ．「【００１７】上記ステップＳ１３では指定されたコマ番号に対応するファイルの前記ディレクトリエントリを読み出す。」（【００１７】段落から抽出）
　
（１）刊行物１のＢ．の記載と図１３を参照すると、パソコン用と共用可能な標準化のカードに準拠したＳＭＣ用メモリカードの論理フォーマットは、ブートセクタ領域５１、ＦＡＴ領域５２、ルートディレクトリ領域５３、データ領域５４が配置されている。
　Ｂ．の記載を参照すると、前記データ領域５４は、画像データが記録されるデータ領域であり、データが記録されているメモリ上の位置は、データ書き込み単位の番号となるクラスタ番号で示され、Ｃ．の記載と図１５を参照すると、データ領域には、１コマ目のコマ番号の画像データがクラスタ番号２，３，４の場所に、２コマ目のコマ番号の画像データがクラスタ番号５，６，７の場所に記録される。したがって、前記データ領域は、複数の記憶領域に分割されたクラスタ番号で示されるデータ領域であることが示されている。
（２）Ｂの記載を参照すると、ルートディレクトリ領域５３には、階層構造によって分類して登録されるファイルのうち、最上位階層のディレクトリの登録情報であるディレクトリエントリが書き込まれ、データ領域５４には、撮像された画像情報がファイルの形式で書き込まれる外に、ディレクトリにサブディレクトリが作成された場合には、そのサブディレクトリのディレクトリエントリも書き込まれることから、これらのディレクトリエントリが書き込まれるディレクトリエントリ領域を有し、
Ｄ．の記載と図１６を参照すると、ディレクトリエントリは、ファイル名、属性、作成時間、作成年月日、対応するファイルまたはサブディレクトリエントリの記録位置の先頭のクラスタ番号（ＦＡＴの番号と同一値）、該ファイルの大きさ等が記録され、１つのディレクトリエントリに記録されたこれらの情報は、１つのコマ番号に対応する属性情報であり、当該１つのコマ番号の画像データが記録される１乃至複数のクラスタ番号の画像データに対応する属性であることが読み取れる。即ち、図１６に示されたようなディレクトリエントリに記録された前記ファイル名、属性、作成時間などの情報は、ディレクトリエントリの領域にある先頭のクラスタ番号（ＦＡＴの番号と同一値）でポイントされるＦＡＴに記録されたクラスタ番号の連なりで示されるファイル乃至撮像コマ番号の画像データに対応する属性であると解され、これは、図１４、図１５、図１６及び図２０で示された具体例からも明らかで、Ｅ．の記載と図１６、図２０を参照すると、ディレクトリエントリは撮影コマ番号と対応付けられ、Ｃ．の記載と図１４、図１５とを参照すると、各コマ番号には、例えば、コマ番号が１コマ目であれば、１コマ目のファイルの画像データは、クラスタ番号２，３，４の連なりを単位とする画像データ（コマ番号１コマ目）が対応し、２コマ目のファイルの画像データは、クラスタ番号５，６，７の連なりを単位とする画像データが対応するから、ディレクトリエントリに記録された属性は、それぞれのコマ番号に対応したクラスタ番号の連なりを単位とする画像データに対する属性である。
　また、ディレクトリエントリは、図１６で示された名前領域を含む領域（０ＢＨ、０ＣＨ、１６Ｈ、１８Ｈ，１ＡＨ等の位置で区切られている）のフォーマットを有し、このフォーマットのディレクトリエントリが複数個、図２０のように２次元に集まっているのが見て取れるからテーブルであるものが示されている。
　これらをまとめると、刊行物１には、デ−タ領域に１回の撮影コマ番号でポイントされるクラスタ番号の連なり情報の記録時に必要な複数のクラスタ番号で特定されるデータ領域から構成される複数のコマ番号に対応する各属性情報で作成されたディレクトリエントリを有するコマ番号単位の属性テーブルが記録されるディレクトリエントリ領域が記載されている。
（３）Ｂ．Ｃ．の記載を参照すると、ＦＡＴの番号は、データ領域上のクラスタ番号に対応しており、図１５、図１４に示されるように、データ領域上のクラスタ番号の順序に対応してＦＡＴ値が記憶されているのが読み取れる。
　また、ＦＡＴ値は、使用情報である。即ち、ＦＡＴエントリは、図１４に示されるように、撮影コマ番号１コマ目のクラスタ番号２が対応するＦＡＴ番号２のＦＡＴ値として、後続する１コマ目のクラスタ番号の３の値（００３H）が記入され、ＦＡＴ番号３のＦＡＴ値としては、更に、後続する１コマ目のクラスタ番号の４の値（００４H）が記入され、１コマ目の最終のクラスタ番号に対応するＦＡＴ番号４のＦＡＴ値としては、ＦＦＦH（Hは１６進数を示す）が書き込まれ、以下、２コマ目に対しても同様な方法でＦＡＴ値が書き込まれ、未使用のデータ領域に対しては、ＦＡＴ値０となっており、これらの各ＦＡＴ値は、図１５、図１４に示されたように、クラスタ番号で特定されるデータ領域に、データが記録されて使用されているか、未使用であるかを示す使用情報といえる。また、ＦＡＴ（ファイルアロケーションテーブル）は、文字通りテーブルであり、図１４から明らかなとおり、ＦＡＴの番号に対応したＦＡＴエントリには、前記のように後続するクラスタ番号の値が記入されているので、ＦＡＴの番号に対応してクラスタ番号が記入されたＦＡＴエントリの領域はインデックス領域といえる。
　これらをまとめると、データ領域の複数のクラスタ番号で特定されるデータ領域の順序に対応して各クラスタ番号で特定されるデータ領域の使用情報で作成されたテーブルが記録されたインデックス領域であるＦＡＴ領域が記載されている。
（４）Ａ．Ｂ．の記載を参照すると、図１３は、パソコン用と共用可能な標準化のカードに準拠したＳＭＣ用メモリカードの論理フォーマットを示しており、ブートセクタ領域５１は、管理領域の大きさやファイル管理のためのパラメータが格納されている領域であり、この領域を有するメモリカードは、カード管理情報が記録されるカード管理情報領域を有するメモリカードである。
（５）前記（２）における、複数のコマ番号に対応する各属性情報で作成された複数のディレクトリエントリを有するコマ番号単位の属性テーブルが記録されるディレクトリエントリ領域は、Ｅ．の記載と図２０、図１６を参照すると、ディレクトリエントリ０、ディレクトリエントリ１、ディレクトリエントリ２とファイル名として書き込まれるコマ番号１、コマ番号２、コマ番号３とが対応しており、Ｈ．の記載と、この対応とによれば、図１６に示された名前（コマ番号）のフィールドを含む各ディレクトリエントリは当該コマ番号で指定することができると解され、図２０には、ディレクトリエントリ領域とコマ番号１、コマ番号２、コマ番号３のような表との対応が示され、コマ番号をインデックスとして当該コマ番号の名前のディレクトリエントリを見つけることができることが読み取れる。したがって、前記領域は、前記複数のクラスタ番号で特定されるデータ領域の単位の各属性情報が記録された各ディレクトリエントリ領域を指定するための複数の値（複数のコマ番号）により指定される領域であるものが開示されている。
　また、前記（２）における、複数のコマ番号に対応する各属性情報で作成された複数のディレクトリエントリを有するコマ番号単位の属性テーブルが記録されるディレクトリエントリ領域は、前記のように当該コマ番号で指定することができることは自明であるとともに、図１６とＤ．の記載を参照すると、少なくとも、属性の領域などを有する属性情報領域を具備することが示されており、各ディレクトリエントリは、図１６に示されたように１つのディレクトリエントリが１つのコマ番号の画像データの記録単位に対応するととともに、ディレクトリエントリの複数の記録領域（フィールド）のうちにＦＡＴへのポインタである開始クラスタが記録されている領域があるから、前記ディレクトリエントリ領域は、各領域の各コマ番号を単位とする記録単位の属性情報と、１つの記憶単位を構成する複数の記憶領域のうちにＦＡＴへのポインタである開始クラスタが記録される属性情報領域とを具備しているといえる。
　これらをまとめると、複数のコマ番号に対応する各属性情報で作成された複数のディレクトリエントリを有するコマ番号単位の属性テーブルが記録されるディレクトリエントリ領域は、前記複数のクラスタ番号で特定されるデータ領域の単位の各属性情報が記録された各ディレクトリエントリ領域を指定するための複数の値（複数のコマ番号）により指定される領域であり、
　各領域の各コマ番号を単位とする記録単位の属性情報と、１つの記憶単位を構成する複数の記憶領域のうちにＦＡＴへのポインタである開始クラスタが記録される属性情報領域を具備している。
　
　以上の（１）乃至（５）の点をふまえると、刊行物１には、パソコン用と共用可能な標準化のカードに準拠したＳＭＣ用メモリカードを提供することを目的とした、次の論理フォーマットを具備するメモリカードの発明（以下、「刊行物１の発明」という。）が記載されていると認められる。
  データ領域は、複数の記憶領域に分割されたクラスタ番号で特定されるデータ領域と、
　前記デ−タ領域に１回の撮影コマ番号でポイントされるクラスタ番号の連なり情報の記録時に必要な複数のクラスタ番号で特定されるデータ領域から構成される複数のコマ番号に対応する各属性情報で作成されたディレクトリエントリを有するコマ番号単位の属性テーブルが記録されるディレクトリエントリ領域と、
　データ領域の複数のクラスタ番号で特定されるデータ領域の順序に対応して各クラスタ番号で特定されるデータ領域の使用情報で作成されたテーブルが記録されたインデックス領域であるＦＡＴ領域と、
　カード管理情報が記録されるカード管理情報領域を有するメモリカードにおいて、
　前記ディレクトリエントリ領域は、
　前記複数のクラスタ番号で特定されるデータ領域の単位の各属性情報が記録された各ディレクトリエントリ領域を指定するための複数の値（複数のコマ番号）により指定される領域であり、
　各領域の各コマ番号を単位とする記憶単位の属性情報と、１つの記憶単位を構成する複数の記憶領域のうちにＦＡＴへのポインタである開始クラスタが記録される属性情報領域と、
を具備したメモリカード。
　
　同じく、当審が平成１６年１２月８日付で通知した拒絶の理由に引用した、本願優先権主張日前に頒布された刊行物である特開平６−２５１２１３号公報（以下、「刊行物２」という。）には、次の事項が記載されている。
ａ．「このようなICメモリカードの一例として、日本電子工業振興協会(JEIDA) にて、ディジタルスチルカメラにて使用されるICメモリカードの標準化が進められているこの方式によると、ICメモリカードの記憶領域は、複数のクラスタにて構成され、記憶される画像データは、論理的集合であるパケット単位にてそれぞれのクラスタに記憶される。さらに記憶領域は、記憶する画像データを管理するための管理データが記憶される管理データ領域と、画像データが記憶される画像データ領域とによって構成される。管理データ領域は、さらに属性情報、ヘッダ情報、パケット識別情報、ディレクトリ情報およびMAT(Memory Allocation Table)が記録されるそれぞれの領域を有している。画像データ領域に記憶される画像データは、複数のクラスタからなる論理的なパケット単位にて記憶される。このパケットの始まりはディレクトリ情報にて指示され、パケットに関連するクラスタのつながりがMAT にて指示される。また、記憶されるパケットの種別およびパケットの状態を表わす属性がパケット識別情報にて指示される。」（【０００３】段落から抽出）
ｂ．「【００２２】これら管理領域およびデータ領域を詳述すると、図３に示すように記憶部40の記憶領域300は、メモリの管理単位となるクラスタ毎に区画化されて管理される。この実施例では、クラスタは、それぞれ８キロバイトの記録容量を有し、記憶領域300 には第０クラスタ〜第2047クラスタまでのクラスタが形成されている。この記憶領域300 は、バイト書換型EEPROM62に割り当てられる管理領域302 と、フラッシュ型EEPROM60に割り当てられるデータ領域304 とに区分される。管理領域302 の第０クラスタには、ICメモリカード18の固有の情報が記録されたカード属性情報領域310 と、記憶領域300 の利用状況などを表わすヘッダ情報が記録されるヘッダ領域320 と、画像データの記録単位となるパケットを構成しているデータの属性および種別が記録されるパケット識別情報領域330 と、各パケット毎に関連するパケットが記録されるパケット関連情報領域340 とのそれぞれの管理情報を格納する領域が形成されている。また、管理領域302 の第１クラスタには、各パケットの先頭のクラスタを示すスタートクラスタが記録されるディレクトリ情報領域350 と、各クラスタの連鎖状態が記録されるMAT 領域360 とが形成されている。
【００２３】特にヘッダ情報領域320 は、図４に示すように、記憶領域300 内の未使用の残留クラスタ数および使用クラスタ数と、最終使用パケット番号と、先頭未使用クラスタ番号と、これら情報の誤りを検出するための符号が記録されるパリティとがパケットの記録毎に更新されて書き込まれるテンポラリ情報タプル370 を含む。」
ｃ．「【００２４】パケット識別情報領域330 は、図５に示すように、データ領域304 に記録される各パケットのそれぞれに対応して１バイトが割り当てられ、対応するパケットの識別情報が記録される領域である。この識別情報は、パケットのデータの種類を表わす種別と、パケットの状態を表わす属性とから構成される。この実施例では、パケットの種類は、同図(a) に示すように、データ領域304 に記録されるパケットに対応して、記録されるデータが画像情報であることを表わす識別情報として、D2〜D0の各ビットには、このパケットに画像情報が記録されていることを表わす(0,0,0) が記録される。また、パケットの属性は、同図(b) に示すように、データ領域304 に記録されるパケットに対応して、パケットに情報が記録されていることを示す使用済みビットD7と、このパケットへの情報の記録の可否を示すライトプロテクトビットD6と、このパケットのデータを記録中に活線抜去されたことを示す異常パケットビットD5と、記録されている情報の複製の可否を示すコピープロテクトビットD4と、本ICメモリカード18の複製が行なわれたか否かを示すコピー済ビットD3とにて構成される。」（【００２４】段落から抽出）
ｄ．「【００２５】図３に戻って、記憶領域300 のデータ領域304 は、第２クラスタ〜第2047クラスタが割り当てられ、それぞれのクラスタには、カメラ10にて撮影された画像データが格納される。１コマの画像を表わす画像データは、たとえば、複数のクラスタを占有してデータ領域304 に格納され、この画像データは、１つのパケットとして管理領域302 にて管理される。それぞれのパケットは、たとえば、連続したクラスタを使用してもよく、また、飛び飛びのクラスタを使用してもよい。パケットの始まりを示すスタートクラスタの番号は、第１クラスタのディレクトリ情報領域350 に記録され、パケットを構成するクラスタの接続状態を表わす MAT(Memory Allocation Table) は、MAT 領域360 に記録される。図６を参照すると、第２パケットが記録された状態におけるディレクトリ情報領域350 およびMAT 領域360 の一例がそれぞれ示されている。図６(a) には、第２パケットのスタートクラスタが記録されたディレクトリ領域 350の一例が示されている。また、図６(b) 〜(e) には、第２パケットのクラスタ連鎖を表わすMAT が記録されたMAT領域 360の一例が示されている。この例によると第２パケットのスタートクラスタは、第２クラスタであることが示され、また、第２パケットは、第２、第３、第５および第７クラスタがそれぞれ連鎖して割り当てられていることが示されている。同様にして、図７には、第３パケットのスタートクラスタは、第４クラスタであることが示され、また、第３パケットは、第４、第６、第９および第10がそれぞれ連鎖して割り当てられていることが示されている。」（【００２５】段落から抽出）
ｅ．「【００３２】ステップ820 において、システム制御部36は、カメラ部26にて作成された画像データをICメモリカード18に書き込むための情報および認識した管理データを管理情報更新回路34に通知する。この通知を受けた管理情報更新回路34にて、これから書き込むパケットの番号が決定されて、さらに、このパケットを書き込むためのMAT が作成される。また、このパケットを書き込んだ際に変更されるヘッダ情報が管理情報更新回路34にて更新される。さらに、管理情報更新回路34は、このパケットの識別情報を更新する。」（【００３２】段落）
　
　ａ．乃至ｅ．の記載によれば、刊行物２には、刊行物１と同様のＪＥＩＤＡ標準化方式のメモリカードにおける技術が開示されており、特に、ｂ．の記載と、図３、図４を参照すると、ＩＣメモリカードの管理領域には、記憶領域300の利用状況などを表わすヘッダ情報が記録されるヘッダ領域320に、ヘッダ情報として、使用クラスタ数、残留クラスタ数、最終使用パケット番号、先端未使用クラスタ番号などが、パケットの記録毎に更新されて書き込まれるテンポラリ情報タプルを含む旨記載されている。また、記憶される画像データは、ａ．ｃ．の記載から、パケット単位にて記憶される。
　　
　同じく、当審が平成１６年１２月８日付で通知した拒絶の理由に引用した、本願優先権主張日前に頒布された刊行物である特開平６−２０８７９９号公報（以下、「刊行物３」という。）には、次の記載がある。
「【００４６】本発明の一実施例によれば、ブロックに不良のマークを付すためには、アレイを構築しているチップのすべての０ブロックのブロックデータ構造の２４０ビットスペース中に、表示を付すことによって実現する。このスペースは、図２の番号２１で示されている各ブロック上のデータ構造に割当てられたブロックの同一領域内に残っており、この２１で示されたものは、ブロックを構成する矩形の底面に存在している。ブロック「０」のすべてにマークを付すことによって、不良であるブロックから離間した領域内にあるブロックは不良であることを表す表示がストアされる（更に、このため、このことは、その故障状態の表示を正しくストアすることに依存しないようになる）。また、すべてのチップ上のすべての「０」ブロックのブロックデータ構造のこの領域のコントローラ１４により、特定のブロックが不良かどうかを表すための多数値を利用したポーリング動作によって、あらゆるブロックの状態を正しく表すことができる。このポーリング動作は、「０」ブロックの各々の不良ビットスペース（本例では、２４０ブロックに対して２４０ビットが割当てられている）を走査すると共に、各ブロック用の不良ブロック表示数を計数することによってシステムパワーアップで実行される。この場合、あるプリセット数（例えば多数値）より大きな数によって、ブロックが不良であることを表示している。」（【００４６】段落）
　
　この記載によれば、ブロックに不良のマークを付すことにより、前記不良のマークを計数して不良ブロックの数が得られること、及び、不良マークを付してストア（記憶）することが示されている。
　
３．対比  
　本願発明と刊行物１の発明とを対比する。
（１）刊行物１の発明のデータ領域が、複数の記憶領域に分割されたクラスタ番号で特定されるデータ領域である点は、本願発明の「複数の貯蔵領域に分割されたデータ領域」に相当する。
（２）刊行物１の発明の、前記デ−タ領域に１回の撮影コマ番号でポイントされるクラスタ番号の連なり情報の記録時に必要な複数のクラスタ番号で特定されるデータ領域から構成される複数のコマ番号に対応する各属性情報で作成されたディレクトリエントリを有するコマ番号単位の属性テーブルが記録されるディレクトリエントリ領域は、本願発明の「前記デ−タ領域に１回の連続的な情報の記録時に必要な複数の前記貯蔵領域から構成される複数の貯蔵単位に対応する各属性情報で作成された貯蔵単位属性テーブルが記録される領域」に相当する。
（３）刊行物１の発明の、データ領域の複数のクラスタ番号で特定されるデータ領域の順序に対応して各クラスタ番号で特定されるデータ領域の使用情報で作成されたテーブルが記録されたインデックス領域であるＦＡＴ領域は、本願発明の「前記データ領域の複数の貯蔵領域の順序に対応して各貯蔵領域の使用情報で作成された貯蔵領域テーブルが記録される第２インデックス領域」に相当する。
（４）刊行物１の発明の、カード管理情報が記録されるカード管理情報領域を有するメモリカードにおいて、は、本願発明の「カード管理情報が記録されるカード管理情報領域を有するメモリカードにおいて、」に対応する。
（５）刊行物１の発明の
　前記ディレクトリエントリ領域は、
　各領域の各コマ番号を単位とする記憶単位の属性情報と、１つの記憶単位を構成する複数の記憶領域のうちにＦＡＴへのポインタである開始クラスタが記録される属性情報領域を具備する点は、本願発明の
「前記領域は、
　前記対応する値を有する前記各領域の各貯蔵単位の属性情報と、１つの貯蔵単位を構成する複数の貯蔵領域のうちに開始貯蔵領域の順番情報が記録される属性情報領域を具備し、」に相当する。
（６）刊行物１の発明の、メモリカードは、本願発明の「メモリカード」に対応する。
　したがって、本願発明と刊行物１の発明とは、次の構成を具備する発明である点で一致し、そして、次の点で相違している。
〈一致点〉
「複数の貯蔵領域に分割されたデータ領域と、
　前記デ−タ領域に１回の連続的な情報の記録時に必要な複数の前記貯蔵領域から構成される複数の貯蔵単位に対応する各属性情報で作成された貯蔵単位属性テーブルが記録される領域と、
　前記データ領域の複数の貯蔵領域の順序に対応して各貯蔵領域の使用情報で作成された貯蔵領域テーブルが記録される第２インデックス領域と、
　記録されたデータと該データに関連した応用機器の情報と現在記録された前記貯蔵単位の数情報などのカード管理情報が記録されるカード管理情報領域を有するメモリカードにおいて、
　前記領域は、
　前記対応する値を有する前記各領域の各貯蔵単位の属性情報と、１つの貯蔵単位を構成する複数の貯蔵領域のうちに開始貯蔵領域の順番情報が記録される属性情報領域を具備した、
メモリカード。」
〈相違点〉
（１）各属性情報で作成された貯蔵単位属性テーブルが記録される領域が、本願発明では、「第１インデックス領域」であり、「前記第１インデックス領域は、前記複数の貯蔵単位の各属性情報が記録された各領域の開始アドレスを指定するための複数のポインタ値を貯蔵するポインタ領域」を具備し、前記各領域は「ポインタ値を開始アドレスとして有する」のに対し、刊行物１の発明は、各ディレクトリエントリ領域は複数の値（コマ番号、名前）により指定され、対応する値（コマ番号、名前）を有する属性情報領域を具備する点。
（２）カード管理情報が記録されるカード管理情報領域について、本願発明は、「記録されたデータと該データに関連した応用機器の情報と現在記録された前記貯蔵単位の数情報などのカード管理情報が記録される」とともに「カード管理情報領域には、前記データ領域の貯蔵領域のうちで不良の貯蔵領域の数を示す不良貯蔵領域の数、前記貯蔵領域テーブルを利用して破壊された場合に行われる貯蔵領域テーブルの複写数、登録された前記貯蔵領域の総数を示す貯蔵領域テーブルの目録数、不良ブロック代置領域のブロック数である不良ブロック代置領域の大きさ、前記カード管理情報領域のブロック数、不良ブロック代置領域のブロック数である不良ブロック管理テーブルの目録数が記憶される」のに対し、刊行物１の発明においては、そのような具体的な情報については開示されていない点。
　
４．当審判断
 相違点（１）に対して
　開始アドレスを指定するためのポインタ値を貯蔵するポインタ領域と、ポインタ値を開始アドレスとして有する領域とを備え、ポインタにより領域を指定する技術、乃至、インデックス領域は、周知の技術にすぎない。（例えば、特開平４−１８１３２４号公報第２図の構造体データの先頭アドレスを示すポインタ情報９を有するポインタ管理テーブルや、特開平２−２９９０３６号公報第３図に係るファイルインデックスに格納されたファイル識別子１０１、ファイル開始ポインタ２ｂと、該ポインタ２ｂの領域に格納されている格納開始アドレス（これらは、インデックス領域やポインタ領域やポインタ値を開始アドレスとして有する技術にあたる）、特開平５−６１７４０号公報第４頁左欄３２行〜３９行に記載された、ファイルＩＤテーブル、ファイルインデックステーブル、先頭アドレス参照。）
　刊行物１の発明の各属性情報が記録されたディレクトリエントリ領域は、コマ番号と対応しており（刊行物１第２０図、Ｈ．の記載参照）、コマ番号をインデックスとして当該コマ番号（名前）を有するディレクトリエントリを読み出すことができるものであるが、刊行物１の前記ディレクトリエントリ領域とコマ番号との対応について、「第１インデックス領域」であり、「前記第１インデックス領域は、前記複数の貯蔵単位の各属性情報が記録された各領域の開始アドレスを指定するための複数のポインタ値を貯蔵するポインタ領域」を具備し、前記各領域は「ポインタ値を開始アドレスとして有する」とすることは、前記周知の、開始アドレスを指定するためのポインタ値を貯蔵するポインタ領域と、ポインタ値を開始アドレスとして有する領域とを備え、ポインタにより領域を指定する技術、乃至、インデックス領域の技術を参酌することにより、当業者が容易になし得ることである。
　
相違点（２）に対して
（Ａ）メモリカードのカード管理情報として、デバイスＩＤやＯＥＭネーム及びバージョン、使用クラスタ数、残留クラスタ数等が記録されることは、周知の事項にすぎず（例えば、デバイスＩＤについては特開平５−４７１９１号公報の図５、ＯＥＭネーム及びバージョンは特開平３−１７１２３９号公報ＦＩＧ．４、使用クラスタ数については特開平５−６１７６０号公報第３頁左欄５行、刊行物３の図２の不良ブロックやブロック記録構造が記録された領域２１参照）、カード管理情報としてカード関連情報を記憶することは単なる設計的事項と認められる。
（Ｂ）刊行物２には、ＩＣメモリカードの管理領域に記録される情報として、使用クラスタ数、残留クラスタ数、最終使用パケット番号、先端未使用クラスタ番号などがあり、パケットの記録毎に更新されて書き込まれることが記載されており、パケットは、画像データの記録単位となるものであるから、本願発明の貯蔵単位に相当し、パケット番号は、本願発明の貯蔵単位の数情報に相当する。これらの点をふまえると、刊行物２の前記最終使用パケット番号などがパケットの記録毎に更新されて書き込まれるは、本願発明の「現在記録された貯蔵単位の数情報などのカード管理情報が記録される」ことに相当する。
　刊行物１の発明において、カード管理情報が記録されるカード管理情報領域について、記録されたデータと該データに関連した応用機器の情報と現在記録された前記貯蔵単位の数情報などのカード管理情報が記録されるカード管理領域とすることは、前記周知乃至設計的事項及び刊行物２に記載された前記事項を参酌することにより当業者が容易になし得ることである。
（Ｃ）カード管理情報領域に記憶される情報として、刊行物３には、ブロックに不良のマークを付すことと、この不良のマークを計数すること、及び、不良マークを付してストア（記憶）することが示されており、この計数によれば不良ブロックの数が自ずと得られるので、刊行物３には、不良ブロックの数を記憶していることと等価のことが示されている。この点をふまえると、刊行物３には、カード管理情報領域には、前記データ領域の貯蔵領域のうちで不良の貯蔵領域の数を示す不良貯蔵領域の数が記憶される、に相当する事項が示されている。
（Ｄ）カード管理情報領域に記憶される情報として、ＦＡＴの数を記憶することは、特開平５−３４１９１５号公報の図７、前記特開平３−１７１２３９号公報のＦｉｇｕｒｅ４及びＦｉｇｕｒｅ１Ａに示されているように、周知の事項であり、複数のＦＡＴとすることにより、そのうちの１つが破壊されても、破壊されないＦＡＴを利用してＦＡＴ機能を行うことができることは技術的常識であるから、これを加味すると、前記のようにＦＡＴの数を記憶することは、本願発明の、貯蔵領域テーブルを利用して破壊された場合に行われる貯蔵領域テーブルの複写数を記憶することに相当する。
（Ｅ）前記特開平５−４７１９１号公報の図５にはクラスタ０乃至２０４７のＭＡＴが登録され、バンク内残留クラスタ数、バンク内使用クラスタ数が記憶されるものであることが示されている。（刊行物２の図３乃至図６に記載されたものと同様のものである。）このバンク内残留クラスタ数とバンク内使用クラスタ数は合わせて２０４７のＭＡＴ数と対応していると解することができ、この点は、本願発明の、登録された前記貯蔵領域の総数を示す貯蔵領域テーブルの目録数が記憶されていることと等価である。カード管理情報領域に記憶される情報として、このような目録数を記憶することは周知と認められる。
（Ｆ）特開平５−２８２８８７号公報には、「【００２４】本実施例のメモリ装置は、不揮発性メモリ領域であるＥＥＰＲＯＭモジュール１に記録されるデータに関し、最低限代替ブロックの使用状況を記録したテーブルが必要であり、この他にも、必要に応じてメモリ領域の使用状況を管理する他のテーブルも使用する。このテーブルは、他のユーザデータとともにＥＥＰＲＯＭモジュール１に記録されるが、…（中略）…このテーブルは、更新される都度、或いは装置の使用が終了する時点でＥＥＰＲＯＭモジュール１に書き戻されることとする。」（【００２４】段落）、「ユーザデータの書き込み中に不良が検出された場合には、ＣＰＵ１４によって、不良を含むブロックのアドレスが代替ブロックのアドレスに書き換えられる。このときＣＰＵ１４は、代替ブロックの使用状況を記録したテーブルの内容も更新する。」（【００３５】段落から抜粋）と記載されており、このような代替ブロックとテーブル技術は周知と認められる。
　この記載における最低限代替ブロックの使用状況を記録したテーブル、メモリ領域の使用状況を管理する他のテーブルの内容については、具体的に記載されていないが、不良ブロック代替領域のブロック数である不良ブロック代替領域の大きさや、不良ブロック代替領域のブロック数である不良ブロック管理テーブルの目録数などは、不良ブロックに対するものでない通常のデータ領域に対するテーブル技術と同様の技術の適用が示唆され、例えば、刊行物２や前記特開平５−４７１９１号公報の図５の内容に倣うことができる。したがって、前記特開平５−２８２８８７号公報には、本願発明の、不良ブロック代置領域のブロック数である不良ブロック代置領域の大きさ、不良ブロック代置領域のブロック数である不良ブロック管理テーブルの目録数が記憶される点が示されている。
（Ｇ）例えば、刊行物２のａ．ｂ．の記載と図３を参照すると、ＩＣメモリカードの管理領域、データ領域は、メモリの管理単位となるクラスタ毎に区画化されて管理されており、図３には、第０クラスタ、第２０４７クラスタなどの記載がみられる。この記載から、メモリカードの管理領域のクラスタ数が読み取れ、クラスタ数は本願発明のブロック数に相当し、管理領域のクラスタ数から、その領域の大きさも示され、本願発明の、カード管理情報領域のブロック数に相当する事項が示されている。
　刊行物１には、Ｂ．の記載を参照すると、ブートセクタ領域には管理領域の大きさやファイル管理のためのパラメータが格納され、メモリ上の位置は、データ書き込み単位の番号となるクラスタ番号で示されることが説明されており、また、それぞれの領域の大きさを単位の数によって表すこともできることは技術的常識である点をふまえると、刊行物１の発明において、管理領域に格納される管理領域の大きさやファイル管理のためのパラメータの情報として、カード管理情報領域には、前記データ領域の貯蔵領域のうちで不良の貯蔵領域の数を示す不良貯蔵領域の数、前記貯蔵領域テーブルを利用して破壊された場合に行われる貯蔵領域テーブルの複写数、登録された前記貯蔵領域の総数を示す貯蔵領域テーブルの目録数、不良ブロック代置領域のブロック数である不良ブロック代置領域の大きさ、前記カード管理情報領域のブロック数、不良ブロック代置領域のブロック数である不良ブロック管理テーブルの目録数とすることは、前記相違点（２）における（Ｃ）乃至（Ｇ）の項で論じた事項を参酌することにより当業者が容易になし得ることである。
　
　しかも、本願発明は、これらの構成を備えることにより奏する効果も格別なものとは認められない。特に、相違点（２）の構成については、要するにメモリカードの記憶領域に単に情報を記録又は記憶しているにすぎないものであり、該情報をどの構成でどのように用いるのかという関係する構成もなく、格別な技術的思想のものとも認められず、その作用効果も当然予想される範囲内のものにすぎない。
　
 ５．むすび
　したがって、 本願請求項１に係る発明は、引用刊行物に記載された発明及び周知技術に基いて、当業者が容易に発明をすることができたものであるので、特許法第２９条第２項の規定により特許を受けることができない。
　よって、結論のとおり審決する。